(57)【要約】【課題】  蓋に優れた操作性を持たせてもコストダウンが図れる機器を提供すること。【解決手段】  電池室２００に一対の第1の凹部２０４、一対の凸部２０３および一対の第２の凹部２０５からなる第２の係合部を設ける。この第２の係合部に係合するように、電池蓋３３に一対のアーム３３３とその一対のアームの先端部に一対の係合ピン３３３１をそれぞれ設ける。これらを係合させるという簡単な構造で、スライド操作時に良好なクリック感をユーザに与える電池蓋３３を構成して、この機器の製作費のコストダウンを図る。【選択図】  図４
2005250017.tif 000002
【特許請求の範囲】
【請求項１】
開口を有する凹部空間が形成されてなる本体と、該開口を開閉自在に覆う蓋とを備えた機器において、
前記蓋が、前記開口を覆った状態において前記本体に沿って往復スライド自在なものであり、前記本体が、前記蓋が所定の係合方向にスライドされたときに該蓋の一端に係合して該蓋を閉状態に保持するとともに、前記蓋が前記係合方向とは逆の解除方向にスライドされることにより係合が外れる第１の係合部を備え、
前記蓋が、前記解除方向へスライドされた状態において前記一端とは逆の他端を回動軸として回動することにより前記開口を開閉する蓋であって、
前記蓋および前記本体のうちの一方が、前記蓋の前記他端に対応する位置に、前記回動軸の軸方向であってかつ相互に反対の向きに弾性的に変形する一対のアームと、該一対のアームそれぞれの先端に一つずつ設けられた、前記回動軸の軸方向かつ相互に反対の向きに突出した一対の係合ピンとを備え、
前記蓋および前記本体のうちの他方が、前記一対の係合ピンそれぞれに対応し該一対の係合ピンそれぞれを受け入れる、前記蓋のスライドにより該係合ピンが乗り越えることによりクリック感を与える凸部を中央に有するとともに、該凸部で分断された、前記蓋の前記係合方向へのスライドにより貫入する第１の凹部と前記蓋の前記解除方向へのスライドにより貫入して該蓋を回動自在に支持する第２の凹部とを有する２つの第２の係合部を備えたことを特徴とする機器。
【請求項２】
前記本体の、前記蓋のスライド方向に隣接する部分および該蓋が全体として円弧状に形成されたものであることを特徴とする請求項１記載の機器。
【請求項３】
前記２つの第２の係合部それぞれを構成する第１の凹部、凸部、および第２の凹部が、全体として円弧状に配置されたものであることを特徴とする請求項２記載の機器。
【請求項４】
前記一対のアームおよび前記一対の係合ピンが前記蓋に設けられたものであり、前記２つの第２の係合部が前記本体に設けられたものであることを特徴とする請求項１記載の機器。
【請求項５】
前記本体が、前記開口に隣接する位置に、第２の開口を有する第２の凹部空間が形成されたものであり、さらにこの機器が前記蓋の回動軸と略同一の位置に第２の回動軸を有し、該第２の回動軸を中心とした回動により前記第２の開口が開閉される第２の蓋を有するものであって、
前記２つの第２の係合部それぞれおよび一対の係合ピンそれぞれは、前記第２の回動軸の延びる方向両側に配されたものであることを特徴とする請求項１記載の機器。
【請求項６】
前記本体の、前記蓋のスライド方向に隣接する部分および該蓋が全体として円弧状に形成されたものであり、前記第２の回動軸を囲むように配置されたものであることを特徴とする請求項５記載の機器。
【発明の詳細な説明】
【技術分野】
【０００１】
本発明は、開口を有する凹部空間が形成されてなる本体と、その開口を開閉自在に覆う蓋とを備えた機器に関する。
【背景技術】
【０００２】
機器によっては、本体に開口を有する凹部空間を設けて、その開口を開閉自在に覆う蓋を設けることによって、凹部空間に装填されたものを交換自在にするようにしたものものがある。例えばこの凹部空間に電池が装填されれば、その凹部空間が電池室となり、メモリカードのような記録メディアが装填されればその凹部空間が媒体装填室となる。このような凹部空間を設けると、その開口を開閉自在に覆う蓋が必要になってくる。この開閉自在な蓋を開閉することによって電池室であれば電池の交換が、媒体装填室であればメモリーカードの交換が行える。
【０００３】
このような蓋には、機器の外観とマッチすることとクリック感に代表されるような優れた操作性が要求される。そこで外観とマッチするように蓋をデザインしておいて、部材を追加することなく優れた操作性をその蓋に持たせる技術が提案されている（例えば特許文献１参照）。
【０００４】
しかし、この特許文献１の構成では本体の開口付近にクリック部材としても機能する電池接点が位置してしまってその電池接点がアンテナとなって静電気を引き込む恐れがある。このため、これを回避するため電気接点に静電防止用の塗料を塗る必要が出てきて、折角簡単な構成でクリック部材を構成することによって機器のコストダウンを図ったにも拘わらず、塗料の値段分コストアップしてしまう。また、電池接点とは別にクリック部材を設けることも考えられるが、そうするとコストアップしてしまう。
【特許文献１】特開２００３−７５８９９号公報
【発明の開示】
【発明が解決しようとする課題】
【０００５】
本発明は、上記事情に鑑み、蓋に優れた操作性を持たせてもコストダウンが図れる機器を提供することを目的とする。
【課題を解決するための手段】
【０００６】
上記目的を達成する本発明の機器は、開口を有する凹部空間が形成されてなる本体と、その開口を開閉自在に覆う蓋とを備えた機器において、
上記蓋が、上記開口を覆った状態において上記本体に沿って往復スライド自在なものであり、上記本体が、上記蓋が所定の係合方向にスライドされたときにその蓋の一端に係合して該蓋を閉状態に保持するとともに、上記蓋が、上記係合方向とは逆の解除方向にスライドされることにより係合が外れる第１の係合部を備え、
上記蓋が、その解除方向へスライドされた状態において上記一端とは逆の他端を回動軸として回動することにより上記開口を開閉する蓋であって、
上記蓋および上記本体のうちの一方が、上記蓋の上記他端に対応する位置に、前記回動軸の軸方向であってかつ相互に反対の向きに弾性的に変形する一対のアームと、その一対のアームそれぞれの先端に一つずつ設けられた、上記回動軸の軸方向かつ相互に反対の向きに突出した一対の係合ピンとを備え、
上記蓋および上記本体のうちの他方が、上記一対の係合ピンそれぞれに対応する該一対の係合ピンそれぞれを受け入れる、上記蓋のスライドによりその係合ピンが乗り越えることによりクリック感を与える凸部を中央に有するとともに、その凸部で分断された、上記蓋の上記係合方向へのスライドにより貫入する第１の凹と上記蓋の上記解除方向へのスライドにより貫入してその蓋を回動自在に支持する第２の凹部とを有する２つの第２の係合部を備えたことを特徴とする。
【０００７】
いままでクリック感を与えるためには上記回動軸の軸方向とは直交する方向にクリック部材を弾性的に変形させることが必要であるといわれてきたが、本発明においては上記回動軸の軸方向に、上記一対の係合ピンと上記２つの第２の係合部とからなる簡単なクリック機構を設けるだけでユーザに対して心地よいクリック感が与えられる蓋が実現される。このため、いままでのように電気接点を兼用させることによって部品点数を低減しなくても、上記一対のアームやその一対のアームそれぞれの先端に設けられた一対の係合ピンとを本体および蓋のうちの一方に設けて、その一対の係合ピンを受け入れる上記２つの第２の係合部を本体および蓋のうちの他方に構成すれば良くなる。この一対のアームやその一対のアームの先端に係合ピンを蓋もしくは本体に設けることは容易であり、また第１の凹部、第２の凹部および凹部とからなる第２の係合部を本体もしくは蓋に設けることも容易である。その容易になった分、また電池接点がなくなった分、さらにその電池接点に塗っていた静電塗料が必要なくなった分、この機器の大幅なコストダウンが図れる。
【０００８】
ここで、上記本体の、上記蓋のスライド方向に隣接する部分およびその蓋が全体として円弧状に形成されたものであることが好ましい。
【０００９】
本発明の機器によれば、上記したように上記回動軸の軸方向に上記第２の係合部、上記一対の係合ピン、上記一対の凸部を設ければ良いため、本体の形状および蓋の形状が円弧状になっていても蓋あるいは本体の側面側に上記第２の係合部、上記係合ピン、上記凸部を簡単に設けることができる。
【００１０】
ここで上記一対のアームおよび上記一対の係合ピンが上記蓋に設けられたものであり、上記２つの第２の係合部が前記本体に設けられたものであることが好ましい。
【００１１】
そうすると、その蓋に設けた一対のアームそれぞれの先端に設けた係合ピンそれぞれを本体側の２つの第２の係合部それぞれに係合するという組立を行うことで、この機器が簡単に組み立てられる。このため、機器の組立が容易になった分のコストダウンも図れる。
【００１２】
さらに、上記本体が、上記開口に隣接する位置に、第２の開口を有する第２の凹部空間が形成されたものであり、さらにこの機器が上記蓋の回動軸と略同一の位置に第２の回動軸を有し、その第２の回動軸を中心として回動により上記第２の開口が開閉される第２の蓋を有するものであって、
上記第２の係合部および一対の係合ピンは、上記第２の回動軸の延びる方向両側に配されたものであることが好ましい。
【００１３】
このように、第１の凹部空間を覆う蓋の回動軸と第２の凹部空間を覆う蓋の回動軸とが略同一の位置にあり、かつ第２の回動軸の延びる方向両側に、上記第２の係合部および一対の係合ピンが配されると、双方の回動軸を接近させて配することができ、双方の蓋をそれらの回動軸を中心にして各々逆の方向に回動する構成にすることができる。
【００１４】
また、上記本体の、上記蓋のスライド方向に隣接する部分およびその蓋が全体として円弧状に形成されたものであり、上記第２の回動軸を囲むように配置されたものであることが好ましい。
【００１５】
そうすると、蓋およびその蓋のスライド方向に隣接する部分が第２の回動軸を囲むように配置され蓋周辺が非常にコンパクトになる。
【発明の効果】
【００１６】
以上、説明したように、蓋に優れた操作性を持たせてもコストダウンが図れる機器が実現される。さらに、本発明の機器によれば、優れた操作性を持つ蓋を機器にコンパクトに配備することができ、機器全体の小型化を図ることができるという効果も引き出される。
【発明を実施するための最良の形態】
【００１７】
以下図面を参照して本発明の実施の形態を説明する。
【００１８】
以下、本発明の実施形態について説明する。
【００１９】
本発明の一実施形態である機器の一例としてカメラを例に挙げて説明する。
【００２０】
図１はそのカメラを正面斜め上から見た外観斜視図である。
【００２１】
このカメラ１０は、アドバンスドフォトシステム（ＡＰＳ）と称される写真システムを構成する比較的小型なカメラであり、このカメラ１０では、ＡＰＳ専用の光密性のフイルムカートリッジが使用される。このカメラ１０は、前カバー１０ａと後カバ１０ｂを有し、前面中央部には撮影レンズ３１が備えられている。
【００２２】
また、このカメラ１０の上面には、回動操作を受けて電源をオン，オフする電源ダイヤル１１が配備されている。この図１では、電源ダイヤル１１は、カメラ１０の正面から見て左方向に回動操作された状態にあり、この状態ではカメラ１０の電源はオンされている。ここで、電源ダイヤル１１を、カメラ１０の正面から見て右方向に回動操作すると、カメラ１０の電源がオン状態からオフ状態に移行する。
【００２３】
また、このカメラ１０には、電源ダイヤル１１により周囲を囲まれるとともにその電源ダイヤル１１の回動中心よりもカメラ１０の前方に寄った位置に配備され、上記電源ダイヤル１１の回動に伴ってその電源ダイヤル１１の回動中心を中心に回動するシャッタ釦１２が備えられている。
【００２４】
さらに、このカメラ１０には、上下に延びた略円筒状のグリップ部１３が備えられている。このグリップ部１３の内部には、フイルムカートリッジが装填されるカートリッジ室１００が設けられている。
【００２５】
また、上述した電源ダイヤル１１は、グリップ部１３の上面に配備されており、この電源ダイヤル１１は、グリップ部１３の円筒形外縁よりも突出した、その電源ダイヤル１１を回動操作するための操作突起１１ａを有する。さらに、グリップ部１３の下面には、カートリッジ室１００を開閉するカートリッジ蓋３２（図３参照）が備えられている。
【００２６】
また、このカメラ１０の正面上部には、ファインダ対物窓１５、アクティブオートフォーカス（ＡＦ）用のＡＦ投光窓１６、ＡＦ受光窓１７、およびフラッシュ発光部１８が配置されている。さらに、カメラ１０の正面下部には、被写体の明るさ測定用のＡＥ受光窓１９およびセルフタイマ撮影時に光を発する発光素子が内蔵されたセルフ窓２０が配置されている。
【００２７】
また、カメラ１０には、前述したカートリッジ蓋３２を開くための操作つまみ２１が備えられている。ユーザは、操作つまみ２１を操作してカートリッジ蓋３２を開け、フイルムカートリッジをカートリッジ室１００に装填し、装填後カートリッジ蓋３２を閉じるという操作を行なう。
【００２８】
図２は、図１のカメラを、背面斜め上から見た外観斜視図である。
【００２９】
このカメラ１０の背面には、ファインダ接眼窓２２が備えられている。また、このファインダ接眼窓２２の右側には、Ｃ（コンベンショナル），Ｈ（ハイビジョン）の２タイプのプリント枠に切り替えるためのプリントタイプ切替つまみ２３が備えられている。さらに、ファインダ接眼窓２２の下側には、必要な情報（撮影モード、フイルムカウンタ等）を表示する液晶表示部２４が備えられている。また、カメラ１０背面の右上には、電源ダイヤル１１が電源オフの位置にあることを示す文字「ＯＦＦ」と、電源ダイヤル１１が電源オンの位置にあることを示す文字「ＯＮ」とが印刷されている。
【００３０】
図３は、図１に示すカメラを、前面１０ａおよび底面１０ｂがあらわれる方向から見た外観斜視図である。
【００３１】
このカメラ１０には、前述したカートリッジ蓋３２、および電池蓋３３が備えられている。また、電池蓋３３の下部には電池が装填される電池室２００が設けられている。電池蓋３３は、電池室２００を開閉自在に覆うものであり、その電池室２００の表面の、電池蓋３３のスライド方向に隣接する部分およびその電池蓋３３が全体として円弧状に形成され、円弧状に図中Ｂで示す方向にスライドされるものである。この電池蓋３３は所定の長さ分Ｂ方向にスライドされた後回動されることにより電池室２００を開放し、その回動とは逆の方向に回動された後、図中Ｂで示す方向とは逆の方向にスライドされることにより電池室２００を閉鎖するものである。この電池蓋３３が本発明いう蓋に相当し、電池室２００が本発明にいう第１の凹部空間に相当する。
【００３２】
またその電池室２００に隣接した位置にカートリッジ室１００が設けられており、そのカートリッジ室１００の開口を覆うカートリッジ蓋３２がヒンジ３２ａを回動軸として開閉自在に設けられている。このカートリッジ蓋３２も円弧状に形成されており、このカートリッジ蓋は電池室２００に隣接した位置に設けられたヒンジ３２ａにより回動自在に支持されている。図３に示すようにそのヒンジ３２ａを中心に矢印Ａ方向にカートリッジ蓋が回動されることによってカートリッジ室１００が開閉される。このカートリッジ蓋が本発明にいう第２の蓋に相当し、カートリッジ室１００が第２の凹部空間に相当し、またヒンジ３２ａが第２の回動軸に相当する。
【００３３】
このようにカートリッジ蓋３２の回動軸であるヒンジ３２ａが配設された位置と電池蓋３３を回動自在に支持するとともにスライド自在にする部分がほぼ同一の位置に配されることによってカメラ全体がコンパクトな形状に収められている。
【００３４】
図４はそのコンパクトな形状に収められたカメラ本体に組み込まれた電池室２００とその電池室２００の開口２０１を覆う電池蓋３３の構造を示す図である。
【００３５】
図４に示すように、電池蓋３３が、電池蓋３３の他端３３２に対応する位置に、その電池蓋３３の回動軸の軸方向であってかつ相互に反対の向きに弾性的に変形する一対のアーム３３３と、一対のアーム３３３それぞれの先端に一つずつ設けられた、回動軸の軸方向かつ相互に反対の向きに突出した一対の係合ピン３３３１とを備えている。
【００３６】
また、この実施形態においては、電池蓋３３によって開口２０１が覆われる電池室２００がカメラ本体にネジ２００ａ一本で簡単に組み込まれる構成が示されている。このカメラ本体側の電池室２００付近に、電池蓋３３に設けられた一対の係合ピン３３３１それぞれに対応する、一対の係合ピン３３３１それぞれを受け入れる、その電池蓋３３のスライドによりその一対の係合ピン３３３１が乗り越えることによりクリック感を与える凸部２０３（ハッチング部）を中央に有するとともに、その凸部２０３で分断された、電池蓋３３の係合方向へのスライドにより貫入する第１の凹部２０４と電池蓋３３の解除方向へのスライドにより貫入して電池蓋３３を回動自在に支持する第２の凹部２０５とを有する、本発明にいう２つの第２の係合部が構成されている。また電池蓋３３が、電池室２００の開口２０１を覆った状態においてカメラ本体１０の底面に沿って往復スライド自在なものであり、その電池室２００が、電池蓋３３が所定の係合方向（Ｂ方向と反対の方向）にスライドされたときにその電池蓋３３の一端３３１に係合してその電池蓋３３を閉状態に保持するとともに、電池蓋３３が、その係合方向とは逆の解除方向（つまりＢ方向）にスライドされることにより係合が外れる、本発明にいう第１の係合部２０２を備えている。
【００３７】
このように構成された電池蓋３３が、その解除方向（Ｂ方向）へスライドされた状態において上記一端３３１とは逆の他端３３２の一対のアーム３３３の先端に設けられた一対の係合ピン３３３１が一対の第２の凹部２０５に係合することによってその第２の凹部２０５とその一対の係合ピン３３３１とが回動軸となって電池蓋３３が回動され電池室２００の開口２０１が開放される。
【００３８】
図３に示すカートリッジ蓋３２は、その電池蓋の３３回動軸と略同一の位置にヒンジ３２ａを有し、そのヒンジ３２ａを中心として回動によりカートリッジ室１００の開口を開閉するが、そのヒンジ３２ａが延びる方向両側に、図４に示す第２の係合部を構成する第１の凹部２０４、凸部２０３、および第２の凹部２０５が全体として円弧状に配置されている。
【００３９】
図５はカートリッジ蓋３２を回動自在に支持するヒンジ３２ａと、第１の凹部２０４、凸部２０３および第２の凹部２０５からなる第２の係合部との位置関係を示す図である。
【００４０】
図５に示すようにヒンジ３２ａの位置と、電池蓋３３が解除方向（Ｂ方向）にスライドされたときに電池蓋３３の係合ピン３３３１が貫入して電池蓋３３の回動軸となる第２の凹部２０４がヒンジと略同一の位置に配置され、またヒンジ３２ａが延びる方向両側に第１の凹部２０４、凸部２０３、および第２の凹部２０５がそれぞれ円弧状に配置されている。このようにヒンジ３２ａと一対の第１の凹部２０４、一対の凸部２０３、および一対の第２の凹部２０５からなる第２の係合部とがヒンジが延びる方向両側に円弧状に配置されると、蓋および蓋の支持機構がコンパクトになってカメラ全体がコンパクトになる。また蓋および外形が円弧状に形成されると全体的にスタイリッシュになる。
【００４１】
ここで、第１の凹部２０４と凸部と凹部の凹凸を示し、どのようにクリック感が与えられるかを図６および図４を参照して説明する。
【００４２】
図６は、一対の第１の凹部２０４、一対の凸部２０３、および一対の第２の凹部２０５のうちの一方をＣＣ´の線に沿って切断して矢印の方向から見た図である。
【００４３】
図６に示すように第1の凹部２０４、凸部２０３、および第２の凹部２０５からなる第２の係合部が構成されている。この第２の係合部が２つ設けられ、その２つの第２の係合部に、電池蓋が備える一対の係合ピンがスライド自在に係合している。
【００４４】
この状態で、図６中、Ｂで示す方向に電池蓋３３がスライド操作され電池蓋３３が凸部２０３を乗り越えるときに一対のアーム３３３が図４に示す変形方向に弾性的に変形してクリック感がユーザに与えられる。
【００４５】
このようにするとカメラ１０本体の外形や蓋３３の外形が円弧状になっていても、その円弧状の外形に沿って（つまり電池蓋の開閉方向に沿って）クリック部材となる凸部を設ける訳ではないので、クリック部材として働く凸部の製作が容易になる。さらにヒンジ３２ａが延びる方向両側に第1の凹部２０４、凸部２０３および第２の凹部２０５からなる第２の係合部を円弧状に並べて配置することができ、電池蓋３３とカートリッジ蓋３２の双方を機器内にコンパクトに収めることができる。このように電池蓋３３をスライドさせる凹凸部を円弧状に並べることで、直線的なガイドレールや溝を設ける必要がなくなった分、クリック機構およびスライド機構が機器内にコンパクトに収められる。
【００４６】
図７は変形例を示す図である。
【００４７】
図７（ａ）は電池室と電池蓋を側面から見た側面図であり、図７（ｂ）は電池室の構造を示す図であり、図７（ｃ）は電池蓋の構造を示す図である。
【００４８】
図４では、カメラ本体側の電池室２００に第1の凹部２０４、凸部２０３および第２の凹部２０５を設けて電池蓋３３側に一対のアーム３３３と係合ピン３３３１とを設けた例を示したが、図７に示すように電池室２００Ａ側にアーム２０６Ａと係合ピン２０６１Ａを設け電池蓋３３Ａに第1の凹部３３０１Ａ、凸部３３０２Ａおよび第２の凹部３３０３Ａからなる第２の係合部と第１の係合部３３０４を設けても良い。
【図面の簡単な説明】
【００４９】
【図１】本実施形態の機器の一例であるカメラを正面斜め上から見た外観斜視図である。
【図２】図１のカメラを、背面斜め上から見た外観斜視図である。
【図３】図１に示すカメラを、前面および底面があらわれる方向から見た外観斜視図である。
【図４】コンパクトな形状に収められたカメラ本体の電池室と電池蓋の構造を示す図である。
【図５】カートリッジ蓋を回動自在に支持するヒンジと第２の係合部の位置関係を示す図である。
【図６】図５に示すＣＣ´の線に沿って切断した面を示す図である。
【図７】変形例を示す図である。
【符号の説明】
【００５０】
１０    カメラ
１０ａ    前カバー
１０ｂ    後カバー
１１    電源ダイヤル
１１ａ    操作突起
１１ｂ    嵌合突起
１２    シャッタ釦
１３    グリップ部
１５    ファインダ対物窓
１６    ＡＦ投光窓
１７    ＡＦ受光窓
１８    フラッシュ発光部
１９    ＡＥ受光窓
２０    セルフ窓
２１    開閉操作つまみ
２２    ファインダ接眼窓
２３    プリントタイプ切替つまみ
２４    液晶表示部
３１    撮影レンズ
３２    カートリッジ蓋
３２ａ    ヒンジ
３３    電池蓋
３３３    一対のアーム
３３３１    一対の係合ピン
４０    電池
１００    カートリッジ室
２００    電池室
２０１    開口
２０２    第１の係合部
２０３    凸部
２０４    第１の凹部
２０５    第２の凹部
【図１】
2005250017.tif 000003
【図２】
2005250017.tif 000004
【図３】
2005250017.tif 000005
【図４】
2005250017.tif 000006
【図５】
2005250017.tif 000007
【図６】
2005250017.tif 000008
【図７】
2005250017.tif 000009